(57)【要約】【課題】  部品コストおよび製造コストを軽減して低コスト化を実現する付勢巻き取りリール装置を提供することを目的としている。【解決手段】  リール本体４と、表筺体形成体５、裏筐体形成体６、該５と該６の筐体形成体を合わせ接合してリール本体４を回転自在に保持収納するリール保持収納部７を有する筐体８と、表筐体形成体５に内側に向けて可動可能に一体成型により設けられた、摘み持った指の押え込み操作で可動させることができるとともにその押え込み操作を解除すると自らの付勢力により元の状態に戻るロックＯＮ・ＯＦＦ部９と、このロックＯＮ・ＯＦＦ部９に一体的成型により設けられた、リール本体４の付勢回転のロック状態を形成する可動部位１０と、この可動部位１０、該１０と係ってロック状態を形成する裏筐体形成体６に一体成型により固定設けられたアーム部１８の先端内側に折れ形態で設けられた係り部位１１とからなるロック機構部１２とからなっている。【選択図】図１
2009172259.tif 000002
【特許請求の範囲】
【請求項１】
ロープを付勢巻き取りするリール本体と、
第１の筺体形成体、第２の筐体形成体、該第１の筺体形成体と該第２の筐体形成体を合わせ接合して前記リール本体を収納する筐体と、
前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、
このロックＯＮ・ＯＦＦ部に設けられた、前記リール本体の付勢回転のロック状態を形成する可動部位と、
この可動部位、該可動部位と係って前記ロック状態を形成する係り部位とからなるロック機構部とからなっていて、
前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置。
【請求項２】
ロックＯＮ・ＯＦＦ部が第１の筺体形成体のロープが引き出される部位の該ロープの引き出し方向の外側に突出するように設けられ、可動部位に前記ロープを通す可動側ロープ通し部が設けられ、係り部位が第２の筐体形成体の前記ロープが引き出される部位の該ロープの引き出し方向の外側に突出するように設けられ、この係り部位に前記ロックＯＮ・ＯＦＦ部のフリー状態では前記可動側ロープ通し部とで前記ロープを挟みロックする部位に位置された該ロープを通す係り側ロープ通し部が設けられ、
前記ロックＯＮ・ＯＦＦ部のフリー状態では、前記ロープを通した前記可動側ロープ通し部と前記係止側ロープ通し部はロープ通し部位がズレた位置状態にあるロープズレ挟み形態でロックすることによってリール本体の回転をロックしたロックＯＮ状態とされ、該ロックＯＮ・ＯＦＦ部および前記係り部位を指で摘み押さえ操作すると該可動側ロープ通し部と該係止側ロープ通し部の前記ロープ通し部位は重なってロープ移動フリー状態となって該リール本体の回転が自在なロックＯＦＦ状態となることを特徴とする請求項１記載のロック機構付き付勢巻取りリール装置。
【請求項３】
ロックＯＮ・ＯＦＦ部が第１の筺体形成体側に開口された開口部に指で押え込む部位を該指で押さえ込んで内に向けて可動可能な状態に設けられ、可動部位は前記筐体内に位置されてロープを通す可動側ロープ通し部が設けられ、係り部位が前記筐体内に設けられ、前記ロックＯＮ・ＯＦＦ部のフリー状態では、前記ロープを通した前記可動側ロープ通し部と前記係止側ロープ通し部はロープ通し部位がズレた位置状態にあるロープズレ挟み形態でロックすることによってリール本体の回転をロックしたロックＯＮ状態とされ、該ロックＯＮ・ＯＦＦ部を押さえ操作すると該可動側ロープ通し部と該係止側ロープ通し部の前記ロープ通し部位は重なってロープ移動フリー状態となって該リール本体の回転が自在なロックＯＦＦ状態となることを特徴とする請求項１記載のロック機構付き付勢巻取りリール装置。
【請求項４】
ロックＯＮ・ＯＦＦ部が第１の筺体形成体側に開口された開口部に指で押え込む部位を該指で押さえ込んで内に向けて可動可能な状態に設けられ、係り部位がリール本体を形成する一対の鍔の前記第１の筺体形成体側の鍔となっていて、
前記ロックＯＮ・ＯＦＦ部のフリー状態では、前記係り部位に前記ロックＯＮ・ＯＦＦ部の可動部位が付勢状態で当って前記リール本体の回転をロックしたロックＯＮ状態とし、あるいは前記係り部位が歯車形態となっていて前記ロックＯＮ・ＯＦＦ部の可動部位が該歯車の間に位置し当って前記リール本体の回転をロックしたロックＯＮ状態と、該ロックＯＮ・ＯＦＦ部を押え込み操作すると該可動部位は前記鍔から離れて該リール本体の回転フリー状態となって、ロープ移動フリー状態である該リール本体の回転が自在なロックＯＦＦ状態となることを特徴とする請求項１記載のロック機構付き付勢巻取りリール装置。
【請求項５】
可動部位と係り部位のロック形態がロープをロックするロック形態であって、前記可動部位に前記ロープを一方の側から挟み付ける一方のロープ挟みロック部位を設け、前記係止部位に前記一方のロープ挟みロック部位とで前記ロープを挟み付けてロックする他方のロープ挟みロック部位を該一方のロープ挟みロック部位に対向するように設けてなることを特徴とする請求項１、２、３いずれか記載のロック機構付き付勢巻取りリール装置。
【請求項６】
ロックＯＮ・ＯＦＦ部が第１の筺体形成体と一体成型により形成された固定形態であり、係り部位が該第１の筺体形成体あるいは第２の筐体形成体と一体成型により形成された固定形態であることを特徴とする請求項１〜５いずれか記載のロック機構付き付勢巻取りリール装置。
【請求項７】
前記筐体の表面にＩＣカード、ネームプレート、名刺などのカードをセットするカードセット部を設けてなることを特徴とする請求項１〜６いずれか記載のロック機構付き付勢巻取りリール装置。
【請求項８】
筐体の裏面に面ファスナを設けてなることを特徴とする請求項１〜７いずれか記載のロック機構付き付勢巻取りリール装置。
【請求項９】
携帯電話、デジタルカメラ、カードなどの携帯品を着脱自在に取り付けることができる面ファスナ、嵌め込み部、収納ケース部、掛け部、クリップなどの携帯品取付け部を設けてなることを特徴とする請求項１〜８いずれか記載のロック機構付き付勢巻取りリール装置。
【請求項１０】
ロープを付勢巻き取りするリール本体と、
第１の筺体形成体、第２の筐体形成体、該第１の筺体形成体と該第２の筐体形成体を合わせ接合して前記リール本体を収納する筐体と、
前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、
このロックＯＮ・ＯＦＦ部に設けられた嵌め込み孔と、
駒本体、この駒本体に突出設けられた前記嵌め込み孔に外側から内側に突き出すように嵌め込まれる前記リール本体の付勢回転のロック状態を形成する可動部位、この可動部位に設けられた前記ロープを通すためのロープ通し部とからなり、該嵌め込み孔に該可動部位を嵌め込み前記ロックＯＮ・ＯＦＦ部の表面に固定された取付け駒と、
前記可動部位、該可動部位と係って前記ロック状態を形成する係り部位とからなるロック機構部とからなっていて、
前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置。
【発明の詳細な説明】
【技術分野】
【０００１】
本発明は、主に首から提げるカードストラップや携帯電話の携帯ストラップなどに適した、また電灯の長さ調節自在のスイッチ紐、天井やディスプレー枠から吊るした高さ調節自在の展示装置などとしても使用できるロック機構付き付勢巻取りリール装置に関する。
【背景技術】
【０００２】
従来のロック機構付き付勢巻取りリール装置は、ロープを付勢巻き取る２個のリール本体と、該リール本体から引き出された２本の前記ロープを通しロックする、円筒形態の固定駒（ロックＯＮ・ＯＦＦ部）、この固定駒に可動可能に一部を納めた円筒形態の可動駒（係り部位）、この可動駒を付勢押し出し状態とする圧縮コイルバネとからなるロープストッパーとからなっていて、可動駒がフリーの状態では圧縮コイルバネの付勢力により通されたロープは可動駒と固定駒に付勢挟されたロック状態とされ、可動駒を指で摘み押し込んだ状態ではロープのロックが解除されたロープの引き出し引き込み（付勢巻き込み）が自在に行える、すなわち首に下げた状態ではロープストッパー、リール本体およびそれに装着した携帯品を上下に前後に移動自在とすることができ、且つ、好みの位置で指を離す（可動駒フリー状態）ことによってそこに止め置くことができるものである（例えば  特許文献１）。
【特許文献１】特開２００６−５５６２７号公報（図９５、段落番号[０１００]）
【非特許文献１】特になし
【発明の開示】
【発明が解決しようとする課題】
【０００３】
上述した従来技術は、可動駒、圧縮コイルバネ、固定駒の三部品からなるロープストッパーと別体である２個のリール本体とを接着などにより組み合わせたものであるので、部品数が多く且つ操作性および使用感をよくするためには全部品を板部材に接着などで固定して一体化することが必要であり、そのような操作性のよい形態とするためには部品コストおよび組み立てコストが高くなるという欠点を有するものであった。
また、２個のリール本体がそれぞれ独立した付勢巻取りであるので、ロープストッパーを摘み押えてその上下移動操作を行ったとき、ループを形成するロープが左右対称に引き出されず動いてしまい掛けた首の後側を擦る、左右のロープを連結して首への付加を軽減する幅広テープを設けたループを有するものとした場合には、幅広テープがズレ動いて首に左右均一な状態で保持されないで見た目の悪い状態になる、安全のために２ｋｇ程度の引っ張りで首掛けループが切れる安全パーツを取り付けた場合、該安全パーツが首の後ろや横に位置するなど位置が定まらず安全パーツが首に当るなど使用感が悪いという欠点を有するものであった。
【０００４】
本発明は以上のような従来技術の欠点に鑑み、部品コストおよび製造コストを軽減して低コスト化を実現する付勢巻き取りリール装置を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために、本発明は次のような構成となっている。
＜請求項１記載の発明＞
ロープを付勢巻き取りするリール本体と、第１の筺体形成体、第２の筐体形成体、該第１の筺体形成体と該第２の筐体形成体を合わせ接合して前記リール本体を収納する筐体と、前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、このロックＯＮ・ＯＦＦ部に設けられた、前記リール本体の付勢回転のロック状態を形成する可動部位と、この可動部位、該可動部位と係って前記ロック状態を形成する係り部位とからなるロック機構部とからなっていて、前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置である。
「付勢力」は、自らの弾性力によるもの、圧縮コイルバネ、湾曲板バネ、ゴムなどの弾性体などの補助付勢手段によるものなど多様な形態がある。
「前記第１の筐体形成体側に一辺を固定」とは、第１の筐体形成体本体はもちろんのこと、該第１の筐体形成体本体から延長させた部位、該第１の筐体形成体本体に他の部材を固定して形成した部位などを技術的範疇に含む意味である。
第１の筺体形成体が表筐体形成体であるばあいもあるし、裏筐体形成体である場合もある。これは第２の筐体形成体にもいえることである。
筐体外に引き出されるロープ部位は一本のもの、二本引き出され首掛けループを手首掛けループなどのループを形成する形態のものなどがある。
「第１の筺体形成体と第２の筐体形成体を合わせ接合」とは、接着剤により接合する、融着により接合する、顎部位と顎掛部の顎掛により接合する、ベルト部材の縛り締め付けにより接合する、リング部材を嵌めて接合するなど多様な形態がある。
第１の筺体形成体と第２の筐体形成体は、一方が表である場合は他方は裏である。すなわち、第１の筺体形成体が裏である場合もあるし表である場合もあり、第２の筺体形成体が裏である場合もあるし表である場合もあるものである。
＜請求項２記載の発明＞
請求項１記載の発明の構成において、ロックＯＮ・ＯＦＦ部が第１の筺体形成体のロープが引き出される部位の該ロープの引き出し方向の外側に突出するように設けられ、可動部位に前記ロープを通す可動側ロープ通し部が設けられ、係り部位が第２の筐体形成体の前記ロープが引き出される部位の該ロープの引き出し方向の外側に突出するように設けられ、この係り部位に前記ロックＯＮ・ＯＦＦ部のフリー状態では前記可動側ロープ通し部とで前記ロープを挟みロックする部位に位置された該ロープを通す係り側ロープ通し部が設けられ、前記ロックＯＮ・ＯＦＦ部のフリー状態では、前記ロープを通した前記可動側ロープ通し部と前記係止側ロープ通し部はロープ通し部位がズレた位置状態にあるロープズレ挟み形態でロックすることによってリール本体の回転をロックしたロックＯＮ状態とされ、該ロックＯＮ・ＯＦＦ部および前記係り部位を指で摘み押さえ操作すると該可動側ロープ通し部と該係止側ロープ通し部の前記ロープ通し部位は重なってロープ移動フリー状態となって該リール本体の回転が自在なロックＯＦＦ状態となることを特徴とするロック機構付き付勢巻取りリール装置である。
＜請求項３記載の発明＞
請求項１記載の発明の構成において、ロックＯＮ・ＯＦＦ部が第１の筺体形成体側に開口された開口部に指で押え込む部位を該指で押さえ込んで内に向けて可動可能な状態に設けられ、可動部位は前記筐体内に位置されてロープを通す可動側ロープ通し部が設けられ、係り部位が前記筐体内に設けられ、前記ロックＯＮ・ＯＦＦ部のフリー状態では、前記ロープを通した前記可動側ロープ通し部と前記係止側ロープ通し部はロープ通し部位がズレた位置状態にあるロープズレ挟み形態でロックすることによってリール本体の回転をロックしたロックＯＮ状態とされ、該ロックＯＮ・ＯＦＦ部を押さえ操作すると該可動側ロープ通し部と該係止側ロープ通し部の前記ロープ通し部位は重なってロープ移動フリー状態となって該リール本体の回転が自在なロックＯＦＦ状態となることを特徴とするロック機構付き付勢巻取りリール装置である。
＜請求項４記載の発明＞
請求項１記載の発明の構成において、ロックＯＮ・ＯＦＦ部が第１の筺体形成体側に開口された開口部に指で押え込む部位を該指で押さえ込んで内に向けて可動可能な状態に設けられ、係り部位がリール本体を形成する一対の鍔の前記第１の筺体形成体側の鍔となっていて、前記ロックＯＮ・ＯＦＦ部のフリー状態では、前記係り部位に前記ロックＯＮ・ＯＦＦ部の可動部位が付勢状態で当って前記リール本体の回転をロックしたロックＯＮ状態とし、あるいは前記係り部位が歯車形態となっていて前記ロックＯＮ・ＯＦＦ部の可動部位が該歯車の間に位置し当って前記リール本体の回転をロックしたロックＯＮ状態と、該ロックＯＮ・ＯＦＦ部を押え込み操作すると該可動部位は前記鍔から離れて該リール本体の回転フリー状態となって、ロープ移動フリー状態である該リール本体の回転が自在なロックＯＦＦ状態となることを特徴とするロック機構付き付勢巻取りリール装置である。
＜請求項５記載の発明＞
請求項１、２、３いずれか記載の発明において、可動部位と係り部位のロック形態がロープをロックするロック形態であって、前記可動部位に前記ロープを一方の側から挟み付ける一方のロープ挟みロック部位を設け、前記係止部位に前記一方のロープ挟みロック部位とで前記ロープを挟み付けてロックする他方のロープ挟みロック部位を該一方のロープ挟みロック部位に対向するように設けてなるロック機構付き付勢巻取りリール装置である。
＜請求項６記載の発明＞
請求項１〜５いずれか記載の発明の構成において、ロックＯＮ・ＯＦＦ部が第１の筺体形成体と一体成型により形成された固定形態であり、係り部位が該第１の筺体形成体あるいは第２の筐体形成体と一体成型により形成された固定形態であることを特徴とするロック機構付き付勢巻取りリール装置である。
＜請求項７記載の発明＞
請求項１〜６いずれか記載の発明の構成において、前記筐体の表面にＩＣカード、ネームプレート、名刺などのカードをセットするカードセット部を設けてなることを特徴とするロック機構付き付勢巻取りリール装置である。
＜請求項８記載の発明＞
請求項１〜７いずれか記載の発明の構成において、筐体の裏面に面ファスナを設けてなることを特徴とするロック機構付き付勢巻取りリール装置である。
＜請求項９記載の発明＞
請求項１〜８いずれか記載の発明の構成において、携帯電話、デジタルカメラ、カードなどの携帯品を着脱自在に取り付けることができる面ファスナ、嵌め込み部、収納ケース部、掛け部、クリップなどの携帯品取付け部を設けてなることを特徴とするロック機構付き付勢巻取りリール装置である。
携帯品には上記以外に、フィルム一体型カメラを含むカメラ、携帯音楽プレイヤー、携帯緊急警報装置、携帯ＧＳＰ、携帯ラジオ、携帯テレビ、携帯無線機、財布、小銭入れやコインホルダー、複数のカードを収納ケースなどがある。
＜請求項１０記載の発明＞
ロープを付勢巻き取りするリール本体と、第１の筺体形成体、第２の筐体形成体、該第１の筺体形成体と該第２の筐体形成体を合わせ接合して前記リール本体を収納する筐体と、前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、このロックＯＮ・ＯＦＦ部に設けられた嵌め込み孔と、駒本体、この駒本体に突出設けられた前記嵌め込み孔に外側から内側に突き出すように嵌め込まれる前記リール本体の付勢回転のロック状態を形成する可動部位、この可動部位に設けられた前記ロープを通すためのロープ通し部とからなり、該嵌め込み孔に該可動部位を嵌め込み前記ロックＯＮ・ＯＦＦ部の表面に固定された取付け駒と、前記可動部位、該可動部位と係って前記ロック状態を形成する係り部位とからなるロック機構部とからなっていて、前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置である。
【発明の効果】
【０００７】
以上の説明から明らかなように、本発明にあっては次に列挙する効果が得られる。
＜請求項１記載の発明の効果＞
ロープを付勢巻き取りするリール本体と、第１の筺体形成体、第２の筐体形成体、該第１の筺体形成体と該第２の筐体形成体を合わせ接合して前記リール本体を収納する筐体と、前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、このロックＯＮ・ＯＦＦ部に設けられた、前記リール本体の付勢回転のロック状態を形成する可動部位と、この可動部位、該可動部位と係って前記ロック状態を形成する係り部位とからなるロック機構部とからなっていて、前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置であるので、
ロック機構部がリール本体を収納している筐体にその一辺を固定された形態で内側に可動可能に設けられた構成であるので、部品点数が軽減さら且つ組み立て工程も軽減されて低コスト化を実現しするとともに、片手のみで上下移動を自在に行うことができ且つ好みの上下位置に止め係留することができるロック機構付き付勢巻取りリール装置を実現するという効果を奏する。
ロープが首掛けループを形成するように一対の可動側ロープ通し部および対応する一対の係止側ロープ通し部を有する可動部位は一辺を表筺体形成体に例えば一体成型により連結された（固定された）一辺連結形態（一辺固定形態）（接着剤や融着や嵌込により形成した形態でもよい）であるので、可動部位は横幅が長くても押し込み操作（ロック解除操作）において片側に傾いた動きとなり難く、左右均等な動きを実現するものであり、可動部位の横幅を広くして左右の可動側ロープ通し部および左右の係止側ロープ通し部の離れ距離を離れた距離のあるものとできるので、首掛けループの筐体からでる左右のロープの距離を離れたものにしても左右のロープを左右のいずれかにも傾かない均等にロック・ロック解除動作とでき、幅広のロープの引き出し形態によって振れによっても筐体が回って裏返る、ロープが捩れることが起き難いものにできる形態を、ロープのロック動作を良好に維持した状態で実現できるものである。
＜請求項２記載の発明の効果＞
請求項１記載の発明の構成において、ロックＯＮ・ＯＦＦ部が第１の筺体形成体のロープが引き出される部位の該ロープの引き出し方向の外側に突出するように設けられ、可動部位に前記ロープを通す可動側ロープ通し部が設けられ、係り部位が第２の筐体形成体の前記ロープが引き出される部位の該ロープの引き出し方向の外側に突出するように設けられ、この係り部位に前記ロックＯＮ・ＯＦＦ部のフリー状態では前記可動側ロープ通し部とで前記ロープを挟みロックする部位に位置された該ロープを通す係り側ロープ通し部が設けられ、前記ロックＯＮ・ＯＦＦ部のフリー状態では、前記ロープを通した前記可動側ロープ通し部と前記係止側ロープ通し部はロープ通し部位がズレた位置状態にあるロープズレ挟み形態でロックすることによってリール本体の回転をロックしたロックＯＮ状態とされ、該ロックＯＮ・ＯＦＦ部および前記係り部位を指で摘み押さえ操作すると該可動側ロープ通し部と該係止側ロープ通し部の前記ロープ通し部位は重なってロープ移動フリー状態となって該リール本体の回転が自在なロックＯＦＦ状態となることを特徴とするロック機構付き付勢巻取りリール装置であるので、
前記請求項１記載の発明の効果に加えて、ロープをズレ挟みするロック機構であるので、リール本体が強く引っ張られることがあった場合、挟持されたロープが摩擦滑り移動するので、強い衝撃がリール本体に加わることが防止されリール本体の損傷を防止する、最適な位置に微調整して止め係留することができるという効果を奏する。
ロックＯＮ・ＯＦＦ部およびアーム部は筐体から外れた上部位にあるので、ここに広告、社名、キャラクターなどの多様な模様などを施すことができる。また、ロックＯＮ・ＯＦＦ部とアーム部の横幅や形態を筐体と同じにするそれ以上にすることもでき、アーム部のみを幅広にするなど自在に行え、より広い表示スペースを形成することができる。また、ロックＯＮ・ＯＦＦ部とアーム部の形状は動物、キャラクター、花、乗り物、ハウスなどの多様な形状とすることができ、より特徴のあるもの個性のあるものにできる。ロックＯＮ・ＯＦＦ部とアーム部をビーズや宝石などで飾ることもでき、またそのような飾りができる形状や宝石を入れ接着する部位を設けるなどが自在にできる。
＜請求項３記載の発明の効果＞
請求項１記載の発明の構成において、ロックＯＮ・ＯＦＦ部が第１の筺体形成体側に開口された開口部に指で押え込む部位を該指で押さえ込んで内に向けて可動可能な状態に設けられ、可動部位は前記筐体内に位置されてロープを通す可動側ロープ通し部が設けられ、係り部位が前記筐体内に設けられ、前記ロックＯＮ・ＯＦＦ部のフリー状態では、前記ロープを通した前記可動側ロープ通し部と前記係止側ロープ通し部はロープ通し部位がズレた位置状態にあるロープズレ挟み形態でロックすることによってリール本体の回転をロックしたロックＯＮ状態とされ、該ロックＯＮ・ＯＦＦ部を押さえ操作すると該可動側ロープ通し部と該係止側ロープ通し部の前記ロープ通し部位は重なってロープ移動フリー状態となって該リール本体の回転が自在なロックＯＦＦ状態となることを特徴とするロック機構付き付勢巻取りリール装置であるので、
このような構成としても、前記請求項２記載の発明と同様な効果を奏する。
＜請求項４記載の発明の効果＞
請求項１記載の発明の構成において、ロックＯＮ・ＯＦＦ部が第１の筺体形成体側に開口された開口部に指で押え込む部位を該指で押さえ込んで内に向けて可動可能な状態に設けられ、係り部位がリール本体を形成する一対の鍔の前記第１の筺体形成体側の鍔となっていて、前記ロックＯＮ・ＯＦＦ部のフリー状態では、前記係り部位に前記ロックＯＮ・ＯＦＦ部の可動部位が付勢状態で当って前記リール本体の回転をロックしたロックＯＮ状態とし、あるいは前記係り部位が歯車形態となっていて前記ロックＯＮ・ＯＦＦ部の可動部位が該歯車の間に位置し当って前記リール本体の回転をロックしたロックＯＮ状態と、該ロックＯＮ・ＯＦＦ部を押え込み操作すると該可動部位は前記鍔から離れて該リール本体の回転フリー状態となって、ロープ移動フリー状態である該リール本体の回転が自在なロックＯＦＦ状態となることを特徴とするロック機構付き付勢巻取りリール装置であるので、
このような構成としても、前記請求項１記載の発明と同様な効果を奏するとともに、ロープがロックＯＮ・ＯＦＦ部に規制されない形態であるので、ロープで首掛けループを形成する形態においては、ロープの筐体から引き出す部位である左右のロープ引出し口をロックＯＮ・ＯＦＦ部に関係なく設定することができ、よって、左右のロープ引出し口を筐体の許容する範囲でできる限り距離のある箇所へ設けることができるので、首から下げた状態で筐体が回転して裏返ったりロープが捩れ状態になることが起き難いものにできるという効果を奏する。
＜請求項５記載の発明の効果＞
請求項１、２、３いずれか記載の発明において、可動部位と係り部位のロック形態がロープをロックするロック形態であって、前記可動部位に前記ロープを一方の側から挟み付ける一方のロープ挟みロック部位を設け、前記係止部位に前記一方のロープ挟みロック部位とで前記ロープを挟み付けてロックする他方のロープ挟みロック部位を該一方のロープ挟みロック部位に対向するように設けてなるロック機構付き付勢巻取りリール装置であるので、
ロック解除状態（放置状態）では、一方のロープ挟みロック部位と他方のロープ挟みロック部位とによって、ロープは付勢挟まれロック状態となり、一方のロープ挟みロック部位と他方のロープ挟みロック部位は対向形態（そのまま行けば重なり当る形態関係）にあるので、ロープが柔らかい部材であるとか、細い部材であっても確実に挟みロックすることができるという効果を奏する。
＜請求項６記載の発明の効果＞
請求項１〜５いずれか記載の発明の構成において、ロックＯＮ・ＯＦＦ部が第１の筺体形成体と一体成型により形成された固定形態であり、係り部位が該第１の筺体形成体あるいは第２の筐体形成体と一体成型により形成された固定形態であることを特徴とするロック機構付き付勢巻取りリール装置であるので、
前記請求項１〜５いずれか記載の発明から同様な効果を奏するとともに、より部品点数と組み立て工程を減らすので、より低コスト化を図れるという効果を奏する。
見方を変えるなら、従来のロック機構を有さないリール装置と同じ部品点数と組み立て工程数でロック付き付勢巻取りリール装置を実現できる。
＜請求項７記載の発明の効果＞
請求項１〜６いずれか記載の発明の構成において、前記筐体の表面にＩＣカード、ネームプレート、名刺などのカードをセットするカードセット部を設けてなることを特徴とするロック機構付き付勢巻取りリール装置であるので、
請求項１〜５いずれか記載の発明の効果に加えて、首に掛けた状態でカードを片手のみで自在に上下前後移動操作することができ且つ好みの上下位置に止め係留させることができる、とても便利なカードネックストラップを低コストで実現するという効果を奏する。
また、筐体を名刺などの定型カードより大きい形態であるので、リール本体を２ｍｍ〜４ｍｍの太めのロープを巻き取っても十分な引出し長さ（４０ｃｍ程度）を得ることができる大きなものにすることができるという効果を奏する。
また、リール本体をカードケースと認識する筐体内に設けたことにより、リールの存在を意識させないものを実現するとともに、カードおよびリールが筐体と一体であるので、それらが首に掛けた首掛けループと別の振れ動作をすることが無いという効果を奏する。
これは、リールがカードケースとは別体で設けられた従来のリール付きカードケースは、首掛けループとはリールおよびカードケースが別の振れ動作をして、携行性が大変悪いという欠点を解消したものである。
また、首に掛けループを形成する形態においては、筐体を離れた一対のロープで吊る形態となるので、筐体が裏返ることが生じない携行を実現するとい効果を奏する。
また、筐体の表面と裏面にカードセット部を設けることができるので、表側には名前の良くわかる単なるカードをセットし、裏側にはＩＣカードをセットするなどのことも可能とするものである。
＜請求項８記載の発明の効果＞
請求項１〜７いずれか記載の発明の構成において、筐体の裏面に面ファスナを設けてなることを特徴とするロック機構付き付勢巻取りリール装置であるので、
面ファスナはループ側が好ましい。
例えば、安全ピン付きフック面ファスナ板やクリップ付き面ファスナ板を、着衣のカードを表示したい部位に取付け、ロープを弛ませることなく筐体を係着（着脱自在）させておくことができる、ロープで吊った状態で着衣に係留できるので着衣が不自然に歪まないようにできるという効果を奏する。
＜請求９記載の発明の効果＞
請求項１〜８いずれか記載の発明の構成において、携帯電話、デジタルカメラ、カードなどの携帯品を着脱自在に取り付けることができる面ファスナ、嵌め込み部、収納ケース部、掛け部、クリップなどの携帯品取付け部を設けてなることを特徴とするロック機構付き付勢巻取りリール装置であるので、
請求項１〜７記載の発明の効果に加えて、首に掛けた状態で携帯品を片手のみで自在に上下前後移動操作することができ且つ好みの上下位置に止め係留させることができる、とても便利なカードネックストラップを低コストで実現するという効果を奏する。特に、携帯品をクリップや面ファスナなどの着脱係止手段による着衣への係止する場合は、丁度具合のよい吊り位置に簡単に微調節できるという効果を奏する。
＜請求項１０記載の発明の効果＞
ロープを付勢巻き取りするリール本体と、第１の筺体形成体、第２の筐体形成体、該第１の筺体形成体と該第２の筐体形成体を合わせ接合して前記リール本体を収納する筐体と、前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、このロックＯＮ・ＯＦＦ部に設けられた嵌め込み孔と、駒本体、この駒本体に突出設けられた前記嵌め込み孔に外側から内側に突き出すように嵌め込まれる前記リール本体の付勢回転のロック状態を形成する可動部位、この可動部位に設けられた前記ロープを通すためのロープ通し部とからなり、該嵌め込み孔に該可動部位を嵌め込み前記ロックＯＮ・ＯＦＦ部の表面に固定された取付け駒と、前記可動部位、該可動部位と係って前記ロック状態を形成する係り部位とからなるロック機構部とからなっていて、前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置であるので、
必須構成である可動部位を有する取付け駒であり、駒本体の形状、色彩は多様なものにして取り付けることができるので、多様な表情のロック機構付き付勢巻取りリール装置を安価に提供することができる。すなわち、他の部位はそのままで取付け駒を変えるだけでいろいろな宣伝広告等を簡単にできる。
【発明を実施するための最良の形態】
【０００８】
以下、図面に示す発明を実施するための最良の形態により、本発明を詳細に説明する。但し本発明をそれに限定する趣旨ではない。
【０００９】
＜第１の実施の形態＞
図１ないし図４に示す本発明を実施するための最良の第１の実施の形態において１はロック機構付き付勢巻取りリール装置であって、このロック機構付き付勢巻取りリール装置１は首掛けループ２を形成する一対のロープ３を付勢巻き取りするリール本体４と、表筺体形成体５、裏筐体形成体６、該表筺体形成体５と該裏筐体形成体６の筐体形成体を合わせ接合してリール本体４を回転自在に保持収納するリール保持収納部７を有する筐体８と、内側に向けて可動可能に表筐体形成体５に該５の一部を上に延長する形態で一体成型により設けられた（表筐体形成体５側に一辺を固定されて内に向けて可動可能に設けられた構成である。）、摘み持った指の押え込み操作で可動させることができるとともにその押え込み操作を解除すると自らの付勢力により元の状態に戻るロックＯＮ・ＯＦＦ部９と、このロックＯＮ・ＯＦＦ部９に一体的成型により設けられた、リール本体４の付勢回転のロック状態を形成する可動部位１０と、この可動部位１０、該１０と係ってロック状態を形成する裏筐体形成体６に該６の一部を延長する形態で一体成型により設けられたアーム部１８の内側に突出するように設けられた係り部位１１とからなるロック機構部１２とからなっていて、ロックＯＮ・ＯＦＦ部９のフリーの状態では、ロープ３のロックによりリール本体７の回転がロックされたロックＯＮ状態となり、ロックＯＮ・ＯＦＦ部９を押え込み操作するとロープ３の引き出し引き込みを自在（移動自在）とするリール本体３の回転が自在なロックＯＦＦ状態にできるようになっている。
より詳しくは、ロックＯＮ・ＯＦＦ部９が表筺体形成体５のロープ３が引き出される部位のロープ３の引き出し方向の外側に該５の一部を延長突出するように設けられ、可動部位１０にロープ３を通す可動側ロープ通し部１３ａ、１３ｂが設けられ、係り部位１１を有するアーム部１８が裏筐体形成体６のロープ３が引き出される部位のロープ３の引き出し方向の外側に該１８の一部を延長突出するように設けられ、この係り部位３にフリー状態では可動側ロープ通し部１３ａ、１３ｂから可動部位１０の可動方向にズレた位置となる部位にロープ３を通す係り側ロープ通し部１４ａ、１４ｂが設けられ、ロックＯＮ・ＯＦＦ部９のフリー状態では、主に該９の自らの付勢力によりロープ３を通した可動側ロープ通し部１３ａ、１３ｂと係止側ロープ通し部１４ａ、１４ｂは中心位置が可動部位１０の可動方向にズレた位置状態（穴の中心位置が重ならないズレた位置状態）にあって、ロープ３のズレ挟み形態とも言うべき形態でロックすることによってリール本体４の回転をロックしたロックＯＮ状態とし、ロックＯＮ・ＯＦＦ部９および係り部位１１を指で摘み押さえ操作すると可動側ロープ通し部１３ａ、１３ｂと係止側ロープ通し部１４ａ、１４ｂは重なりロープ移動フリー状態となってリール本体４の回転が自在なロックＯＦＦ状態となるようになっている。
１７ａ、１７ｂはロープ案内部位であって、表筺体形成体５、裏筐体形成体６のいずれかに一体成型により設けられている。回転するよう円コロを被せてより抵抗を軽減するのが好ましい。
ロープ３は平らな形態として、リール本体の鍔１６ａ、１６ｂの幅を平らなロープ３が一本しか入らない幅として重ね形態で巻き取るようにするのが好ましい。
可動側ロープ通し部１３ａ、１３ｂ、係止側ロープ通し部１４ａ、１４ｂの両方をあるいはいずれか一方を一つの通部とする形態もよい。すなわち、可動側ロープ通し部１３ａ、１３ｂの間の仕切りのない該１３ａ、１３ｂがつながった一つの孔である。その分材料を削減できる。
ロックＯＮ・ＯＦＦ部９を裏筐体形成体６に設け、係り部位１１を裏筐体形成体６に設けた形態もよい。
可動側ロープ通し部１３ａ、１３ｂ、係止側ロープ通し部１４ａ、１４ｂの形態は、ロープ３の非ロック側に長く形成され、ロックＯＮ・ＯＦＦ部９を最大に押し込んで（ロックＯＦＦ状態）でも非ロック側の縁がロープ３に当たらない形態とするのがよい。すなわち図３の側面図によると、可動側ロープ通し部１３ａ、１３ｂは左側が非ロック側で、係止側ロープ通し部１４ａ、１４ｂは右側が非ロック側である。
可動部位１０と係り部位１１は隙間少ない形態や当接した形態でもよい。
ロックＯＮ・ＯＦＦ部９およびアーム部１８の幅は図示した形態以外に筐体と同じ程度、筐体より幅広形状もある。
可動部位１０は一辺を表筺体形成体５に一体成型により連結された（固定された）一辺連結形態（一辺固定形態）（接着剤や融着や嵌込により形成した形態でもよい）であるので、可動部位１０は横幅が長くても押し込み操作（ロック解除操作）において片側に傾いた動きとなり難く、左右均等な動きを実現するものであり、可動部位１０の横幅を広くして可動側ロープ通し部１３ａ、１３ｂの離れ距離および係止側ロープ通し部１４ａ、１４ｂの離れ距離を離れた距離のあるものとできるので、首掛けループ２の左右の筐体８からでるロープ３、３の距離を離れたものにしても左右のロープを左右のいずれかにも傾かない均等にロック・ロック解除動作とでき、幅広のロープ３、３の引き出し形態によって振れによっても筐体８が回って裏返る、ロープが捩れることが起き難いものにできる形態を、ロープのロック動作を良好に維持した状態で実現できるものである。
このことは、以下に記載する一つないし複数の実施の形態についても適用することができるものである。
【００１０】
筐体８の表面はカードを収納セットするための３辺縁を前方に突出させて透明板２０を接着、融着、溶着あるいは嵌めるなどして取り付けた、横にカード出し入れ口２１を設けたカードセット部２２からなる携帯品取り付け部を設けている。
カードセット部２２の表筐体形成部５の四隅には、３辺を抜かれ形態で外に起こし形成されたカードを抑えるカード抑え片２３、２３、２３、２３が形成されている。
透明板２０の中央には開口部２４が設けられ、指をカードにあて外に押し出すことができるようになっている。
筐体８の裏面にはループ面ファスナ２５が設けられ、着衣に付けたフック面ファスナ（図示せず。クリプ付き面ファスナ板、安全ピン付き面ファスナ板）に係着して、着衣上にカードを係着しておくことができるようになっている。ループ面ファスナ２５は３ｍｍ〜１０ｍｍ程度の縦に細長い形態としていて、剥がし外しが簡単に行なえるようになっている。
筐体８の裏面や側面にクリップを設けるのもよい。
ループ面ファスナ２５に変えて縦向き、横向きあるいは横縦に回転できるクリップを設け、胸ポケットやワイシャツの前合わせ部位に係止できるようにするのもよい。ループ面ファスナ２５に変えて磁石や磁着部材を設けて磁着係止できるようにするのもよい。
筐体は密封されたものに限定されるものではなく、側面が開口してなる形態なども本願発明の技術的範疇に含むものである。
可動部位および係り部位を複数設ける、すなわちロープをロックする部分が２箇所以上あるものであり、２箇所が好ましい。こうすることにより、よりロック力のあるロック機構とすることができ、あるいはロックＯＮ・ＯＦＦ部の付勢力を弱い押え操作のし易いものにできる。
ロックＯＮ・ＯＦＦ部９およびアーム部１８はカードセット部２２から外れた上部位にあるので、ここに広告、社名、キャラクターなどの多様な模様などを施すことができる。
また、ロックＯＮ・ＯＦＦ部９とアーム部１８の横幅や形態を筐体と同じにするそれ以上にすることもでき、アーム部１８のみを幅広にするなど自在に行え、より広い表示スペースを形成することができる。
また、ロックＯＮ・ＯＦＦ部９とアーム部１８の形状は動物、キャラクター、花、乗り物、ハウスなどの多様な形状とすることができ、より特徴のあるもの個性のあるものにできる。
ロックＯＮ・ＯＦＦ部９とアーム部１８をビーズや宝石などで飾ることもできる。
表筺体形成体５と裏筐体形成体６は底部がヒンジー部（蝶番部）１９で連結され、該表筺体形成体５と該裏筐体形成体６は展開状態で射出成型により一体成型されているとともに、表筺体形成体５および裏筐体形成体６あるいはいずれか一方に筐体から突出形成された適宜な数の顎付き掛部２６が一体成型により設けられ、表筺体形成体５および裏筐体形成体６あるいはいずれか一方に、顎付き掛部２６の顎部位が掛る顎掛部２７が該顎付き掛部２６に対向するよう一体成型により形成されている。
よって、表筺体形成体５と裏筐体形成体６はリール本体４を収納し、ロープ３を：可動側ロープ通し部１３ａ、１３ｂおよび係り側ロープ通し部１４ａ、１４ｂに通し、ヒンジー部１９で折畳み合せることにより、顎付き掛部２６の顎部位が顎掛部２７に掛って嵌め殺し状態とされ、表筺体形成体５と裏筐体形成体６の合せ状態が一体化されて筐体８を形成する。
接着剤を持ち入ることなくあるいは融着などの操作をすることなく表筺体形成体５と裏筐体形成体６を接合させてなる筐体を形成できるものである。
これによって、組立作業スピードの向上が図られ、接着剤や融着作業・装置を用いないので材料の軽減が実現され、全体として生産性の向上と低コスト化を実現する。
顎掛部２７は裏筐体形成体６を形成する金型に設けられた顎掛部形成突き出しピン（金型の図示なし）により形成され、該顎掛部形成突き出しピンは顎掛部２７を形成するとともに、裏筐体形成体６に顎掛部形成孔３１を同時に形成する。
顎付き掛部２６は表筺体形成体５に形成し、顎掛部２７は裏筐体形成体６に形成するのが、表側からは見えないので好ましいので、本実施の形態ではこの形態を採用している。
このようなヒンジー１９と顎付き掛部２６および顎掛部２７による一体成型接合形態は、以下に述べる一つないし複数の実施の形態についても適用することができるものである。
ロックＯＮ・ＯＦＦ部９はロープ３の無い状態である、可動側ロープ通し部１３ａ、１３ｂおよび係り側ロープ通し部１４ａ、１４ｂにロープ３が通される前のロープ非ロック状態では、２点破線で示したロックＯＮ・ＯＦＦ部９の位置となる。すなわち、ロープを通さない成型時状態ではアーム部１８から大きく離れた２点破線で示したロックＯＮ・ＯＦＦ部９の位置となっているので、その位置からロープ３を通しロックする位置まで強制的にその弾性反発力に反して倒されているので、ロープ３をロックする十分な弾性反発力が得られる。
ロープを通さない成型時状態ではアーム部１８から大きく離れたロックＯＮ・ＯＦＦ部９の位置とするという技術的思想は、以下に述べる一つないし複数の実施の形態についても適用することができるものである。
可動側ロープ通し部１３ａ、１３ｂおよび係り側ロープ通し部１４ａ、１４ｂは孔形態となっているので、可動側ロープ通し部１３ａ、１３ｂおよび係り側ロープ通し部１４ａ、１４ｂに先にロープを通しておいて、リール本体にロープを巻き取らせるということをしなければならないものであるので、好ましくは、リール本体にロープが巻かれた状態からロープを出して可動側ロープ通し部および係り側ロープ通し部にロープを通すようにするのがよいので、後述する第３の実施の形態のように可動側ロープ通し部３２ａ、３２ｂおよび係り側ロープ通し部３３ａ、３３ｂのような側面に開口した横溝形態とし、この組合せによるようなロープを横から入れられる形態のものにするか、後述する第９の実施の形態のように、ロープの引き出し端部を解放形態として、リールから引き出し可動側ロープ通し部１３ａ、１３ｂおよび係り側ロープ通し部１４ａ、１４ｂを通し引き出し、先端部に着脱式の安全パーツ９７を後付けする。安全パーツは連結される雄型と雌型がある場合は、一方のロープの側に雄型を取り付け他方のロープの側にメス型を取り付け、両者を連結して首掛けループを形成できるようにするのがよい。
【００１１】
（異なる実施の形態）
次に、異なる実施の形態について説明する。なお、これら本発明を実施するための異なる実施の形態の説明に当たって、前述した実施の形態と同一の構成部分には同一符号を付して重複する説明を省略する。
【００１２】
＜第２の実施の形態＞
図５に示す本発明を実施するための最良の第２の実施の形態において前記第１の実施の形態と主に異なる点は、第１の筐体形成体の内側中央に穴を有するバネ支持部２８ａを設け、該１８の対抗する第２の筐体形成体にもバネ支持部２８ｂを設け、バネ支持部２８ａと２８ｂの間に圧縮コイルバネからなる付勢手段２９を設けてなるロック機構付き付勢巻取りリール装置３０を形成した点にある。
このような構成とすることにより、必要十分な弾性力が得られるとともに、耐久性のある構成とすることができるという効果を奏する。
【００１３】
＜第３の実施の形態＞
図６、図７に示す本発明を実施するための最良の第３の実施の形態において前記第１の実施の形態と主に異なる点は、ロックＯＮ・ＯＦＦ部９の可動側ロープ通し部を側面に開口した横溝形態の可動側ロープ通し部３２ａ、３２ｂとし、アーム部１８の係り側ロープ通し部を側面に開口した横溝形態の係り側ロープ通し部３３ａ、３３ｂとし、ロックＯＮ・ＯＦＦ部９に可動部位４０を設け、この可動部位４０にロックＯＮ・ＯＦＦ部９の表側から成型時にあけ形成された可動側ロープ通し部４１ａ、４１ｂが設けられ、アーム部１８に係り部位４２を設け、この係り部位４２にアーム部１８の表側から成型時にあけ形成された係り側ロープ通し部４３ａ、４３ｂが設けられ、表筐体形成体および裏筐体形成体を円形の表筐体形成体３４、裏筐体形成体３５として円形の筐体３６を形成し、該３６の下部に紐などを掛け携帯品を下げる掛け部３７である携帯品取り付け部を設けてなるロック機構付き付勢巻取りリール装置３８を形成した点にある。
ロックＯＮ・ＯＦＦ部９、可動部位９、可動側ロープ通し部３２ａ、３２ｂ、可動部位４０、可動側ロープ通し部４１ａ、４１ｂ、アーム部１８、係り側ロープ通し部３３ａ、３３ｂ、係り部位４２、係り側ロープ通し部４３ａ、４３ｂでロック機構部３９を形成している。
ロープ３、３は一つのリール本体に同一方向に巻かれているので、略完全に同調した同じ長さでの引き出し引き込み操作ができる。
ロープ通し部がいずれも側方なり表側から成型時にロープ通し部を形成する金型の突出片により形成できる。
ロープ引き出し口４４、４４は円柱形態の表筐体形成体３４、裏筐体形成体３５のいずれか一方に一体的に形成されたロープ案内部４５、４５、４５、４５を適宜配置し筐体３６に設けられている。
ロック機構部が二箇所であるのでよりロック力が得られ、またロックＯＮ・ＯＦＦ部の付勢力を弱くすることが可能となり押し操作のし易いものにできる。
ロープ通し部は２つの形態を述べているが、同一形態による複数ロック機構部とするのもよいことは言うまでもない。特に可動側ロープ通し部４１ａ、４１ｂのように金型の抜き方向に向けて形成される形態に可動側ロープ通し部も係り側ロープ通し部もするのがよい。こうすることによって、一方向の抜きのみで表筐体形成体および裏筐体形成体と一体的に形成されるので、金型の構成が複雑にならず安価とでき且つ形成速度も遅くならないので生産性が落ちず、コスト高にならないようにできる。
特に、裏筐体形成部の表側から成型時に空け形成されたロープ通し部は、ロックＯＦＦ時においては、ロックＯＮ・ＯＦＦ部の可動方向の一方側が実質的にロックする壁のない開放された形態を形成しているので、ロックＯＮ・ＯＦＦ部の押し込み過ぎによるロープのロックが生じない形態を実現しているので、この形態がロープ通し部としては最も好ましい。
可動側ロープ通し部４１ａ、４１ｂ、係止側ロープ通し部４３ａ、４３ｂの両方をあるいはいずれか一方を一つの通部とする形態もよい。すなわち、可動側ロープ通し部４１ａ、４１ｂの間の仕切りのない該４１ａ、４１ｂがつながった一つのロープ通し部である。その分材料を削減できる。
【００１４】
＜付記＞
可動部位と係り部位が複数設けられて、ロープのロックが複数個所で行われるようにしてなることを特徴とする請求項１〜１０いずれか記載のロック機構付き付勢巻取りリール装置。
「請求項１〜１０いずれか記載のロック機構付き付勢巻取りリール装置」とは、特許請求の範囲の請求項をいう。
【００１５】
＜第４の実施の形態＞
図８に示す本発明を実施するための最良の第４の実施の形態において前記第１の実施の形態と主に異なる点は、リール本体４に巻き取られるロープ３を一本とし、引き出されたロープ３の先端にクリップ４８からなるからなる携帯品取り付け部を設け、表筐体形成体５の上部に上に嵌め込み口を有する嵌め込み部４９を設け、該４９に弾性付勢力を有する金属製部材からなるロックＯＮ・ＯＦＦ部９ａを嵌め込み固定し、アーム部１８を肉厚の強靭な形態としたロック機構付き付勢巻取りリール装置５０を形成した点にある。
可動側ロープ通し部１３は一つ、係り側ロープ通し部４３は一つである。可動側ロープ通し部１３は長方形の孔をあけ、該穴を中途で折り曲げる可動部位１１を形成することにより形成したものである。係り側ロープ通し部４３は係り側ロープ通し部４３ａと同様に裏筐体形成体３５の成型時に一体的に形成されたものである。
ロックＯＮ・ＯＦＦ部９ａ、可動部位１０、可動側ロープ通し部１３、アーム部１８、係り部位１１、係り側ロープ通し部４３、ロック機構部５１を形成している。
【００１６】
＜第５の実施の形態＞
図９に示す本発明を実施するための最良の第５の実施の形態において前記第４の実施の形態と主に異なる点は、クリップ４８に変えて、貫通した横孔５２を有するアダプター５３を設け、筐体３６の下部に掛け部３７に変えてカードを着脱自在に取り付けることができる、抜け止め片５４付きのフック５５からなる携帯品取付け部を有するロック機構付き付勢巻取りリール装置５６を形成した点にある。
横孔５２はループ径の大きさい調節可能な首掛けループ５７を潜り移動可能に取り付けてネックストラップにする。
アダプター５３の前後には、ロック機構部１２が嵌り回らないように保持する保持突起５８ａ、５８ｂが設けられていて、この位置においてはロック機構付き付勢巻取りリール装置５６および取り付けられたカードケースは回らない状態に保持される。
【００１７】
＜第６の実施の形態＞
図１０に示す本発明を実施するための最良の第６の実施の形態において前記第４の実施の形態と主に異なる点は、ロック機構部１２を筐体３６の下部に設け、ロープ３を下方に向けて引き出しできるようにし、筐体３６の上部に貫通した横孔６０を有するロープ通し部６１を固定設け、ロープ３の先端にクリップ４８を設けたロック機構付き付勢巻取りリール装置６２を形成した点にある。
ロープ通し部６１に首掛けループ５７を潜り移動可能に取り付けてネックストラップにする。
クリップ４８にはカードケース６３を取り付ける。
【００１８】
＜第７の実施の形態＞
図１１、図１２に示す本発明を実施するための最良の第７の実施の形態において前記第１の実施の形態と主に異なる点は、可動部位１０の可動側ロープ通し部をロックＯＮ・ＯＦＦ部９の表側から成型時に空け形成された可動側ロープ通し部６６ａ、６６ｂとし、係り部位１１の係り側ロープ通し部をアーム部１８の表側から成型時に空け形成された係り側ロープ通し部６７ａ、６７ｂとし、ロックＯＮ・ＯＦＦ部９に可動部位４０を設け、この可動部位４０にロックＯＮ・ＯＦＦ部９の表側から成型時に空け形成された可動側ロープ通し部４１ａ、４１ｂが設けられ、アーム部１８に係り部位４２を設け、この係り部位４２にアーム部１８の表側から成型時に空け形成された係り側ロープ通し部４３ａ、４３ｂを設けてなるロック機構付き付勢巻取りリール装置６８を形成した点にある。
ロックＯＮ・ＯＦＦ部９、可動部位９、可動側ロープ通し部６６ａ、６６ｂ、可動部位４０、可動側ロープ通し部４１ａ、４１ｂ、アーム部１８、係り側ロープ通し部６７ａ、６７ｂ、係り部位４２、係り側ロープ通し部４３ａ、４３ｂでロック機構部６９を形成している。
透明版２０は縁の側部に嵌殺し用の突起が設けられ、表筐体形成体５の表面縁に設けられた嵌め込み穴に嵌合される。カード出し入れ口は上部に設けられている。
可動側ロープ通し部および係り側ロープ通し部が金型の抜き方向に向けて形成される形態であるので、一方向の抜きのみで表筐体形成体および裏筐体形成体と一体的に形成されるので、金型の構成が複雑にならず安価とでき且つ形成速度も遅くならないので生産性が落ちず、コスト高にならないようにできる。
また、裏筐体形成部の表側から成型時に空け形成されたロープ通し部は、ロックＯＦＦ時においては、ロックＯＮ・ＯＦＦ部の可動方向の一方側が実質的にロックする壁のない開放された形態を形成しているので、ロックＯＮ・ＯＦＦ部の押し込み過ぎによるロープのロックが生じない形態を実現しているので、この形態がロープ通し部としては最も好ましい。
可動側ロープ通し部４１ａ、４１ｂ、係止側ロープ通し部４３ａ、４３ｂ、可動側ロープ通し部６６ａ、６６ｂ、係止側ロープ通し部６７ａ、６７ｂの全てあるいはそのうちの適当なものを一つの通部とする形態もよい。すなわち、可動側ロープ通し部４１ａ、４１ｂの間の仕切りの無い該４１ａ、４１ｂがつながった一つのロープ通し部４１である。その分材料を削減できる。一番外側の可動側ロープ通し部４１ａ、４１ｂ以外を一つのロープ通し部とするのが好ましい。このことは前記したないし後述するひとつないし複数の実施の形態にも適用することができるものである。
＜付記＞
可動側ロープ通し部がロックＯＮ・ＯＦＦ部の表側からあけられ形成されてなることを特徴とする請求項１〜１０いずれか記載のロック機構付き付勢巻取りリール装置。
「請求項１〜１０いずれか記載のロック機構付き付勢巻取りリール装置」とは、特許請求の範囲の請求項をいう。
【００１９】
＜第８の実施の形態＞
図１３に示す本発明を実施するための最良の第８の実施の形態において前記第１の実施の形態と主に異なる点は、可動部位および係り部位の形態を次のようにしてなるロック機構付き付勢巻取りリール装置７２を形成した点にある。
（１）ロックＯＮ・ＯＦＦ部９に横長の嵌め込み孔７３が設けられ、ロックＯＮ・ＯＦＦ部９の先端側にヒンジー部７４で連結された取付け駒７５の駒本体８２が表筐体形成体５と一体的に成型され、駒本体８２には可動側ロープ通し部６６ａ、６６ｂおよび嵌め殺し突起７６、７６を有する可動部位１０が設けられ、ヒンジー部７４で折って可動部位１０を嵌め込み孔７３に嵌め込む。
（２）アーム部１８に横長の嵌め込み孔７７が設けられ、アーム部１８の先端側にヒンジー７８で連結された取付け駒７９の駒本体８３が裏筐体形成体６と一体的に成型され、駒７９本体８３には係り側ロープ通し部部６７ａ、６７ｂおよび嵌め殺し突起８０、８０を有する係り部位１１が設けられ、ヒンジー部７８で折って係り部位１１を嵌め込み孔７７に嵌め込む。
前記（１）および（２）の構成でロック機構部８１を形成している。
取付け駒７５および取付け駒７９はヒンジーで切り離して取り付けてもよい。この場合はヒンジーではなく、樹脂を通した後の連結部位でもよく。また別に成型部材でもよい。
別に成型した部材の場合、色の異なるものにするなどのことができる。また、形状は四角形にこだわらず、丸、楕円、キャラクター、動物、顔、花、家紋などなど多様な形状のものにすればよい。大きさも多様であってよい。このような多様な装飾なり表示が安価にできるという効果を奏する。
可動側ロープ通し部６６ａ、６６ｂ、係止側ロープ通し部６７ａ、６７ｂの両方あるいはいずれか一方を一つの通部とする形態もよい。すなわち、可動側ロープ通し部６６ａ、６６ｂの間の仕切りのない該６６ａ、６６ｂがつながった一つのロープ通し部６６である。その分材料を削減できる。
【００２０】
＜第９の実施の形態＞
図１４に示す本発明を実施するための最良の第９の実施の形態において前記第１の実施の形態と主に異なる点は、リール本体を鍔１６ａを歯車形態とした歯車８６を有する発条１５で付勢巻取り動作する付勢リール８７と鍔１６ａを歯車形態とした歯車８８を有する発条を有さないフリー回転のフリーリール８９とからなるリール本体９０とし、可動部位１０および係り部位１１をロック機構部１２の奥側に配置してなるロック機構付き付勢巻取りリール装置９１を形成した点にある。
歯車８６と歯車８８は噛み合っていて、付勢リール８７の回転とフリーリール８９の回転は完全に同調して、ロープ３、３の引き出し引き込みは完全に同じになるようになっている。
ロックＯＮ・ＯＦＦ部９とアーム部１８の内側には該部位の曲がり難くするための補強リブ８５が設けてあり、これによってロックＯＮ・ＯＦＦ部９とアーム部１８が強い弾性反発力を有しても梃子の原理で、それを摘み弱い力で内側に押し操作してロックＯＦＦ状態にできる。補強リブ８５はロックＯＮ・ＯＦＦ部９とアーム部１８に２枚ずつ（１枚でもよい）重ならないように配置設けられている。
筐体は幅３５ｍｍ〜４５ｍｍの長方形の表筐体形成体９２と裏筐体形成体９３とからなる筐体９４とし、表筐体形成体９２の表面には該９２と一体成型によりフック面ファスナ９５（接着や溶着でもよい）からなる携帯品取付け部が設けられ、裏筐体形成体９３の表面にはループ面ファスナ９６が設けられている。フック面ファスナ９５にはループ面ファスナを設けた携帯電話や携帯ケースなどの携帯品を係着保持し、ループ面ファスナ９６は着衣の側に設けたフック面ファスナに係着して、首から吊り下げた携帯品が振れないように保持し、また携帯品の加重を着衣で受けて首に掛かる荷重を大幅に軽減する。
ロープ３、３の先端には２ｋｇ以上の引っ張り力が加わった場合に外れる安全パーツ９７の一方の側が設けられている。安全パーツ９７の他方の側は幅広の１０ｍｍ〜１２ｍｍ程度のテープ９９の両端に取り付けられ（図示せず）、連結して首掛けループを形成するようになっている。テープの長さの分だけリール本体に巻き取るロープ３、３の長さを稼げる。
ロープ３、３は筐体６４内では回転コロ９８によって案内されている。
フック面ファスナ９５に換えて携帯電話、音楽プレイヤー、フィルム一体型カメラ、デジタルカメラ、緊急警報器などを収納する携帯品収納ケースからなる携帯品取付け部を設けるのも良いし、フック面ファスナ９にループ面ファスナを設けた携帯品収納ケースからなる携帯品取付け部を取り付けるのもよい。
【００２１】
＜第１０の実施の形態＞
図１５に示す本発明を実施するための最良の第１０の実施の形態において前記第１の実施の形態と主に異なる点は、筐体を筐体３６とし、可動部位１０および係り部位１１をロック機構部１２の奥側に配置し、ロックＯＮ・ＯＦＦ部９内側にバネ支持部１００を設け、アーム部１８のバネ支持部１００の対抗する部位にバネ支持部１０１を設け、バネ支持部１００の左右にバネにロープ３が挟まらないようにするためのブロック片１０２、１０２を形成し、裏筐体形成体３５に該３５と一体成型により形成した長方形プレートからなる携帯品保持プレート１０３を設けてなるロック機構付き付勢巻取りリール装置１０４を形成した点にある。
【００２２】
＜第１１の実施の形態＞
図１６に示す本発明を実施するための最良の第１１の実施の形態において前記第１の実施の形態と主に異なる点は、筐体を筐体３６とし、可動部位１０の可動側ロープ通し部をロックＯＮ・ＯＦＦ部９に可動側ロープ通し部１０７ａ、１０７ｂを有する可動部位１０８を設けて可動部位１０との複数可動部位とし、アーム部１８に係り側ロープ通し部１０９ａ、１０９ｂを有する係り部位１１０を設けて係り部位１１との複数係り部位とし、裏筐体形成体３５に該３５と一体成型により形成した長方形プレートからなる携帯品保持プレート１０３を設け、携帯品保持プレート１０３の両側部に横に突出した携帯品の嵌まり溝（図示せず）に嵌まる嵌まり片１１１、１１１を設け、裏筐体形成体３５の裏側にループ面ファスナ９６を設けてなるロック機構付き付勢巻取りリール装置１１２を形成した点にある。
アーム部１８は肉厚（リブを含む）に形成し押し操作しても曲がらないような強靭さにされている。
【００２３】
＜第１２の実施の形態＞
図１７に示す本発明を実施するための最良の第１２の実施の形態において前記第１の実施の形態と主に異なる点は、ロックＯＮ・ＯＦＦ部９にバネ支持部１１５を設け、該１１５に対抗するようにアーム部１８にバネ支持部１１６を設け、バネ支持部１１５とバネ支持部１１６に支持されるように湾曲した板バネ１１７を取り付けてなるロック機構付き付勢巻取りリール装置１１８を形成した点にある。
【００２４】
＜第１３の実施の形態＞
図１８、図１９に示す本発明を実施するための最良の第１３の実施の形態において前記第１の実施の形態と主に異なる点は、ロックＯＮ・ＯＦＦ部を表筺体形成体５の上部に突出形成されたロック機構形成部位１２１に開口された開口部１２２に指で押え込む一辺が該１２１に連絡され且つ一体成型された板状の部位からなり、それをロック機構形成部位１２１の外側に突出させ筐体８の内に向けて可動可能に設けられたロックＯＮ・ＯＦＦ部１２３とし、可動部位をロックＯＮ・ＯＦＦ部１２３の先端を折り曲げたような形態によって筐体８内に位置されてロープ３を通す該１２３の外側からあけ形成された可動側ロープ通し部１２４ａ、１２４ｂが設けられてなる可動部位１２５とし、係り部位が筐体８内の裏筐体形成体６の上部に突出形成されたロック機構形成部位１２６に一体成型で設けられた係り部位１２７とし、この係り部位１２７にロープ３を通す裏筐体形成体６の外側からあけ形成された係り側ロープ通し部１２８ａ、１２８ｂが設けられ、ロックＯＮ・ＯＦＦ部１２３のフリー状態では可動側ロープ通し部１２４ａ、１２４ｂから可動部位１２５の可動方向にズレた位置となる部位に係り側ロープ通し部１２８ａ、１２８ｂが位置され、ロックＯＮ・ＯＦＦ部１２３のフリー状態では、該１２３の自らの付勢力によりロープ３、３を通した可動側ロープ通し部１２４ａ、１２４ｂと係止側ロープ通し部１２８ａ、１２８ｂはロープ通し部位がズレた位置状態にあるロープズレ挟み形態でロックすることによってリール本体４の回転をロックしたロックＯＮ状態とし、ロックＯＮ・ＯＦＦ部１２３を押さえ操作すると可動側ロープ通し部１２４ａ、１２４ｂと係止側ロープ通し部１２８ａ、１２８ｂは重なりロープ３の移動フリー状態となってリール本体４の回転が自在なロックＯＦＦ状態となるロック機構付き付勢巻取りリール装置１２９を形成した点にある。
ロック機構形成部位１２１、ロックＯＮ・ＯＦＦ部１２３、ロック機構形成部位１２６、係り部位１２７とでロック機構部１３０を構成している。
【００２５】
＜第１４の実施の形態＞
図２０に示す本発明を実施するための最良の第１４の実施の形態において前記第１３の実施の形態と主に異なる点は、係り部位１２７をロック機構形成部位１２１（表筺体形成体５側）に設けてなるロック機構付き付勢巻取りリール装置１３２を形成した点にある。
この形態においてはロックＯＮ時に係り部位１２７でロープ３、３が抑えられればよいのであるから、係り側ロープ通し部１２８ａ、１２８ｂは必ずしも必須の構成ではなく、該１２８ａ、１２８ｂを有さないたんなる突出板形態の係り部位の形態もよいものである。
【００２６】
＜第１５の実施の形態＞
図２１、図２２に示す本発明を実施するための最良の第１５の実施の形態において１３５はロック機構付き付勢巻取りリール装置であって、このロック機構付き付勢巻取りリール装置１３５は歯車８６を有するリール本体９０を収納した筐体９４にロック機構部１３６を設けたものである。筐体９４のリール機構を含む構成は前記第９の実施の形態（図１４）と同じであるのでその説明を省略する。
表筐体形成体９２を上に延長してロック機構形成部位１３７を形成し、該１３７に対応するように裏筐体形成体９３を上に延長して形成したロック機構形成部位１３８を形成し、ロック機構形成部位１３７に開口部１３９を形成し、この開口部１３９に指で押え込む押しボタン１３４をロック機構形成部位１３７の外側に突出させ且つ一辺を該１３９の一辺に固定され内に向けて可動可能にロックＯＮ・ＯＦＦ部１４０が設けられ、このロックＯＮ・ＯＦＦ部１４０には付勢リール８７の歯車８６（係り部位）に当ってリール本体９０の付勢回転をロックするとともに、該９０の鍔間１６ａ、１６ｂに入る幅形態の突出した可動部位１４１が設けられ、ロックＯＮ・ＯＦＦ部１４０のフリー状態では、歯車８６（係り部位）に可動部位１４１が当ってリール本体９０の回転をロックしたロックＯＮ状態とし、ロックＯＮ・ＯＦＦ部１４０の押しボタン１３４を押え込み操作すると可動部位１４１は鍔１６ａ、１６ｂの間に位置した鍔１６ａ、１６ｂに当らないリール本体９０の回転フリー状態となって、ロープ３の移動フリー状態であるリール本体９０の回転が自在なロックＯＦＦ状態となる。
ロックＯＮ・ＯＦＦ部１４０と歯車８６（係り部位）とでロック機構部１３６を構成している。
ロープ引き出し口１４２ａ、１４２ｂ。
ロックＯＮ・ＯＦＦ部１４０を筐体側と一体成型により形成することにより、部品点数と組立工程を増やすことなくロック付き付勢巻取りリール装置を形成できる。
＜付記＞
ロープを付勢巻き取りするリール本体と、
第１の筺体形成体、第２の筐体形成体、該第１の筺体形成体と該第２の筐体形成体を合わせ接合して前記リール本体を収納する筐体と、
前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、
このロックＯＮ・ＯＦＦ部に設けられた、前記リール本体の付勢回転のロック状態を形成する可動部位と、
この可動部位と係って前記ロック状態を形成する、前記リール本体を形成する一対の鍔の前記第１の筐体形成体側に位置し且つ歯車形態に形成された鍔の該歯車部位からなる係り部位と、
前記可動部位と前記係り部位とからなるロック機構部とからなっていて、
前記ロックＯＮ・ＯＦＦ部のフリーの状態では、前記歯車部位に前記可動部位が入り当って前記リール本体の回転がロックされたロックＯＮ状態とされ、該ロックＯＮ・ＯＦＦ部を押え込み操作すると該歯車部位から該可動部位が退避して該歯車当り止め状態が解除された該リール本体の回転フリー状態であるロックＯＦＦ状態となることを特徴とするロック機構付き付勢巻取りリール装置。
【００２７】
＜第１６の実施の形態＞
図２３に示す本発明を実施するための最良の第１６の実施の形態において１４７はロック機構付き付勢巻取りリール装置であって、このロック機構付き付勢巻取りリール装置１４７は内側にリール本体９０を収納した筐体９４にロック機構部１４９を設けたものである。筐体９４のリール機構を含む構成は前記第９の実施の形態（図１４）と略同じであるのでその説明を省略する。
表筐体形成体９２を上に延長してロック機構形成部位１５０を形成し、該１５０に対応するように裏筐体形成体９３を上に延長してロック機構形成部位１５１を形成し、ロック機構形成部位１５０に開口部１５２を形成し、この開口部１５２の上部側にロック機構形成部位１５０の一部を肉厚とした肉厚部位１５３を形成し、該肉厚部位１５３に嵌め込み穴形態のロック部材取付け部１５４を設け、肉厚部位１５３の内側にはロック機構形成部位１５１に当接する補強リブ１５５が一体成形により設けられ、ロック部材取付け部１５４に根元を嵌め込み固定して指で押え込む部位をロック機構形成部位１５０の外側に突出させて内に向けて可動可能に略Ｌ字形状（変形Ｌ字形状）のロックＯＮ・ＯＦＦ部１５６が設けられ、このロックＯＮ・ＯＦＦ部１５６には付勢リール８７の鍔１６ａ（係り部位）に内側から付勢当ってリール本体９０の付勢回転をロックするとともに、該９０の鍔間１６ａ、１６ｂの間で可動する突出した可動部位１５７が設けられ、ロックＯＮ・ＯＦＦ部１５６のフリー状態では、鍔１６ａの内側に可動部位１５７が付勢当ってリール本体９０の回転をロックしたロックＯＮ状態とし、ロックＯＮ・ＯＦＦ部１５６を押え込み操作すると可動部位１５７は鍔１６ａから離れ、鍔１６ａ、１６ｂの間に位置した鍔１６ａ、１６ｂに当らないリール本体９０の回転フリー状態となってロープ３の移動フリー状態であるリール本体９０の回転が自在なロックＯＦＦ状態となる。
鍔１６ａの内側は可動部位１５７との当接摩擦力を強めるためのないし可動を阻止する凸凹部位とされた係り部位１５８となっている。
この係り部位１５８の凹部位に可動部位１５７全体が嵌る形態、可動部位１５７に凸部位を設けこの凸部位が係り部位１５８の凹部位に嵌る形態、可動部位１５７に凹部位を設けこの凹部位が係り部位１５８の凸部位が嵌る形態、可動部位１５７に係り部位１５８と同じ凸凹部を設け噛み合う形態など多様な形態がある。
ロックＯＮ・ＯＦＦ部はロック機構形成部位の外に突出している形態に限定されるものではなく、開口部と同じないし少し内側に位置された形態でも指で押し込み可動されてロックＯＦＦ状態を形成できればよいものである。
可動部位１５７にロックＯＦＦ状態の最適な位置で該１５７が止められる、裏筐体形成体９３に当たる突起なりを設ける、裏筐体形成体９３に可動部位１５７を受け止める突起なりの部位を設けるのがよい。
【００２８】
特許請求の範囲に記載された請求項において、
（１）ロックＯＮ・ＯＦＦ部が第１の筺体形成体側に開口された開口部に指で押え込む部位を該指で押さえ込んで内に向けて可動可能な状態に設けられ、係り部位がリール本体を形成する一対の鍔の前記第１の筺体形成体側の鍔に１以上の突出部位や歯車形態などからなる当り形態であり、可動部位が前記係り部位に当り前記リール本体の付勢回転をロックするとともに該リール本体の前記鍔間に入る幅形態からなっていて、
前記ロックＯＮ・ＯＦＦ部のフリー状態では、前記係り部位に前記可動部位が当って前記リール本体の回転をロックしたロックＯＮ状態とされ、該ロックＯＮ・ＯＦＦ部を押え込み操作すると該可動部位は前記鍔の間に位置した該鍔に当らない該リール本体の回転フリー状態となって、ロープ移動フリー状態である該リール本体の回転が自在なロックＯＦＦ状態となることを特徴とする請求項４記載のロック機構付き付勢巻取りリール装置。
（２）ロックＯＮ・ＯＦＦ部が第１の筺体形成体側に開口された開口部に指で押え込む部位を該指で押さえ込んで内に向けて可動可能な状態に設けられ、係り部位がリール本体を形成する一対の鍔の前記第１の筺体形成体側の鍔の内壁部位であり、
前記ロックＯＮ・ＯＦＦ部の可動部位が前記係り部位に付勢当る付勢当り形態であり、
前記ロックＯＮ・ＯＦＦ部のフリー状態では、前記係り部位に前記ロックＯＮ・ＯＦＦ部の可動部位が付勢状態で当って前記リール本体の回転をロックしたロックＯＮ状態とされ、該ロックＯＮ・ＯＦＦ部を押え込み操作すると該可動部位は前記鍔から離れた該鍔に当らない該リール本体の回転フリー状態となって、ロープ移動フリー状態である該リール本体の回転が自在なロックＯＦＦ状態となることを特徴とする請求項４記載のロック機構付き付勢巻取りリール装置。
【００２９】
＜第１７の実施の形態＞
図２４、図２５、図２６に示す本発明を実施するための最良の第１７の実施の形態において前記第１の実施の形態と主に異なる点は、可動部位１０の内側の可動側ロープ通し部１３ａ、１３ｂが位置する端部側にロープ３を一方の側から挟み付けるロープ挟みロック部位１６０（一方のロープ挟みロック部位）が設けられ（一体成型により形成されるのが好ましい）、係り部位１１の外側の係り側ロープ通し部１４ａ、１４ｂが位置する端部側にロープ３を他方の側からロープ挟みロック部位１６０と対向し重なる形態で挟み付けるロープ挟みロック部位１６１（他方のロープ挟みロック部位）が設けられ（一体成型により形成されるのが好ましい）てなるロック機構付き付勢巻取りリール装置１６３を形成した点にある。
ロック解除状態（放置状態）では、対向形態（対向重なり形態）とされているロープ挟みロック部位１６０とロープ挟みロック部位１６１とによって、ロープ３は付勢挟まれロック状態となるのであり、ロープ挟みロック部位１６０とロープ挟みロック部位１６１は対向形態（そのまま行けば重なり当る形態関係）にあるので、ロープ３が柔らかい部材であるとか、細い部材であってもロープ通し部を交差させることなく、確実に挟みロックすることができる。
第１の実施の形態のような交差するロープ通し部では、太いロープ、硬めのロープではロックはロープ通し部の交差は少なくて済むが、細いロープあるいは柔らかいロープではロープ通し部の交差が大きくなってしまい、十分なロック状態が得られないということが考えられる。
ロック状態をより確実ないし強いものとするために、ロープに食い込む適宜な食い込み突起をロープ挟みロック部位１６０およびロープ挟みロック部位１６１に設けあるいはいずれか一方に設けるのもよい。突起は一つのもの、２〜４箇所のもの、多数の小突起などいろいろな形態がある。
本実施の形態のロック機構付き付勢巻取りリール装置１６３においては、ロープ挟みロック部位１６０およびロープ挟みロック部位１６１は後述するように筐体８と一体成型により形成されているが、これにとどまらず、ロープ挟みロック部位１６０およびロープ挟みロック部位１６１の挟みつけ面にゴムなどの摩擦部材を接着や嵌込により設けなるものよいし、ロープ挟みロープ挟みロック部位１６０およびロープ挟みロック部位１６１あるいはいずれか一方をゴム体とし接着により設けてなるものもよい。
可動部位１０にはロープ挟みロック部位１６０と同じ面の該ロープ挟みロック部位１６０が奥に見える、成型時に突出した金型ピンであるロック部位形成ピン（金型とともに図示せず）によって形成されたロック部位形成開口１６４が形成されている。
このように、可動部位１０の表面形成面より奥に突出するロック部位形成ピン（金型とともに図示せず）によって、金型を上金型と下金型の最も単純なものとでき、金型のコストを安価にできるとともに、製造時間を延長することがないので生産性を落とすことがない。
一方のロープ挟みロック部位および他方のロープ挟みロック部位という対向部位によりはロープを挟みロックする技術的思想は、前記したないし後述したひとつないし複数の実施の形態についても適用することができるものである。
＜付記＞
ロープを付勢巻き取りするリール本体と、
第１の筺体形成体、第２の筐体形成体、該第１の筺体形成体と該第２の筐体形成体を合わせ接合して前記リール本体を収納する筐体と、
前記第１の筐体形成体側に一辺を固定されて内に向けて可動可能に設けられた、摘み持った指の押え込み操作で可動させることができるとともにその押え込み操作を解除すると付勢力により元の状態に戻るロックＯＮ・ＯＦＦ部と、
このロックＯＮ・ＯＦＦ部に設けられた、前記リール本体の付勢回転のロック状態を形成する可動部位と、
この可動部位、該可動部位と係って前記ロック状態を形成する係り部位と、
前記可動部位に設けられた前記ロープを一方の側から挟み付ける一方のロープ挟みロック部位と、
前記係止部位に設けられた前記一方のロープ挟みロック部位とで対向して前記ロープを挟み付けてロックする他方のロープ挟みロック部位と、
前記可動部位と前記係り部位とからなるロック機構部とからなっていて、
前記ロックＯＮ・ＯＦＦ部のフリーの状態では、前記リール本体の回転がロックされたロックＯＮ状態となり、該ロックＯＮ・ＯＦＦ部を押え込み操作すると前記ロープの引き出し引き込みを自在とする該リール本体の回転が自在なロックＯＦＦ状態となることを特徴とするロック機構付き付勢巻取りリール装置。
【００３０】
＜第１８の実施の形態＞
図２７、図２８に示す本発明を実施するための最良の第１８の実施の形態において前記第１３の実施の形態と主に異なる点は、可動部位１２５にロープ３を一方の側から挟み付けるロープ挟みロック部位１６０（一方のロープ挟みロック部位）を設け（一体成型により形成されるのが好ましい）、係り部位１２７にロープ３を他方の側からロープ挟みロック部位１６０と対向形態で挟み付けるロープ挟みロック部位１６１（他方のロープ挟みロック部位）を設け（一体成型により形成されるのが好ましい）、可動側ロープ通し部１２４ａ、１２４ｂを連結した一つの通部としてなる可動側ロープ通し部１２４に換え、係り側ロープ通し部１２８ａ、１２８ｂを連結した一つの通部としてなる係り側ロープ通し部１２８に換え、図でみてロープ挟みロック部位１６１の上方位置（ロープ挟みロック部位１６０の下方位置でもよい）である部位に、表筺体形成体５のロック機構形成部位１２からロープ３、３を近寄らないように離し案内するロープ離し案内部１６６を一体成型により設け（裏筺体形成体６のロック機構形成部位１２６にロープ離し案内部１６６を一体成型により形成してもよい）、筐体８の裏面にカード裏収納部１６８を設け、筐体８の表面に設けられたカードセット部２２の透明板２０の表面に、マスクカード１６９を上から出入収納する透明板からなるマスクカード収納部１６７を設けてなるロック機構付き付勢巻取りリール装置１７０を形成した点にある。
ロック部位形成開口１６４は、主に射出成型時に突出した金型ピンである、係り部位１２７およびロープ挟みロック部位１６１を形成するためのロック部位形成ピン（金型とともに図示せず）によって形成されるものである。
（１）ロープ挟みロック部位１６０とロープ挟みロック部位１６１による対向形態でのロープの挟みロックは、前記第１７の実施の形態のロック機構付き付勢巻取りリール装置１６３と同様な作用効果を奏するものである。
（２）ロープ３、３を近寄らないように離し案内するロープ離し案内部１６６を設けることによって、ロープ３、３を通すロープ通し部を一つのロープ通し部とすることが可能となり、よって、ロープ離し案内部１６６と、一つである可動側ロープ通し部１２４と、一つである係り側ロープ通し部１２８とには、既に首掛けループ２を形成状態でロープを巻きつけたリールを筐体８にセットし、首掛けループ２を可動側ロープ通し部１２４を通し、更に係り側ロープ通し部１２８を通し、更にロープ離し案内部１６６をロープ３、３を左右に分け超えさせて筐体８の外に引き出しセットすることができる。
すなわち、首掛けループ２を形成するためにロープ３、３を引き出す必要があり、且つ、携帯品が回ってロープ３、３が捩れることが生じ難いようにするために、ロープ３、３を離してロック機構部から引き出す必要があり、このために、ロープ３、３を引き出すそれぞれのロープ通し部を分け離して設ける必要があるが、ロープ通し部が二つであるとリールにループが形成された状態で巻かれたロープをロープ通し部に通すことができないものであるが、ロック機構付き付勢巻取りリール装置１７０はそれを解決したものである。
ロープ３、３を近寄らないように離し案内するロープ離し案内部を設け、これによって、ロック機構のロープ３、３を通すロープ通し部を一つのロープ通し部とすることを可能とし、リールに巻かれた首掛けループのセットを可能にするという技術的思想は、前記したないし後述した一つないし複数の実施の形態にも適用することができるものである。
（３）カード裏収納部にマスクカード１６９を予め収納しておき、首からカードを下げたまま外出をする場合など、マスクカードを１６９を表のマスクカード収納部１６７に入れて、会社名や名前の表示されたカードをマスクし隠すことができる。
マスクカード収納部１６７には下のカードセット部２２の透明板２０に設けられた指をカードに当て外に引き出すための指当て引出し用の開口と重なる同様の形態の開口を設けている。
筐体の裏面にマスクカードを収納しておき、表のカードを隠したいときにマスクカードで表のカードをマスクできるという技術的思想は、前記したないし後述した一つないし複数の実施の形態にも適用することができるものである。
【００３１】
＜第１９の実施の形態＞
図２９に示す本発明を実施するための最良の第１９の実施の形態において前記第１の実施の形態と主に異なる点は、可動側ロープ通し部１３ａ、１３ｂを連結した一つの通部としてなる可動側ロープ通し部１３に換え、係り側ロープ通し部１４ａ、１４ｂを連結した一つの通部としてなる係り側ロープ通し部１４に換え、図でみて可動部位１０および係り部位１１の下方にロープ３、３を近寄らないように離し案内するロープ離し案内部１６６ａ、１６６ｂを一体成型により設けてなるロック機構付き付勢巻取りリール装置１７３を形成した点にある。
ロープ離し案内部１６６ａは可動部位１０に設けられ、ロープ離し案内部１６６ｂは係り部位１１に設けられ、上下で一部が重なるように設けられ、案内するロープ３、３が他方に完全に行かないようにしている
ロープ離し案内部を設ける部位や位置は、可動部位と係り部位の部位や位置によって異なる。例えば、可動部位と係り部位の下方に設ける形態、可動部位と係り部位の上方に設ける形態、可動部位と係り部位の間に設ける形態などがある。
ロープ離し案内部を設ける部位は、一つである形態、複数である形態、可動部位と係り部位の両方に設けられた形態、可動部位と係り部位のいずれか一方の設けられた形態など多様な形態を採用することができる。
ロープ３、３（一対のロープ）を近寄らないように離し案内するロープ離し案内部１を設けることによって、ロープ３、３を通すロープ通し部を一つのロープ通し部とすることが可能となり、よって、ロープ離し案内部と、一つである可動側ロープ通し部と、一つである係り側ロープ通し部とには、既に首掛けループを形成状態でロープを巻きつけたリールを筐体にセットし、首掛けループを可動側ロープ通し部を通し、更に係り側ロープ通し部を通し、更にロープ離し案内部をロープ３、３を左右に分け超えさせてロック機構部の外に引き出しセットすることができる。
すなわち、首掛けループを形成するためにロープ３、３（一対のロープ部位３ａ、３ｂ）を引き出す必要があり、且つ、携帯品が回ってロープ３、３が捩れることが生じ難いようにするために、ロープ３、３を離してロック機構部から引き出す必要があり、このために、ロープ３、３を引き出すそれぞれのロープ通し部を分け離して設ける必要があるが、ロープ通し部が二つであるとリールにループが形成された状態で巻かれたロープをロープ通し部に通すことができないものであるが、本実施の形態のロック機構付き付勢巻取りリール装置はそれを解決したものである。
ロープ３、３を近寄らないように離し案内するロープ離し案内部を設け、これによって、ロック機構のロープ３、３を通すロープ通し部を一つのロープ通し部とすることを可能とし、リールに巻かれた首掛けループのセットを可能にするという技術的思想は、前記した一つないし複数の実施の形態にも適用することができるものである。
＜付記＞
ロープを付勢ロックするロープロック機構部と、
このロープ機構部を形成する、指で付勢力に抗して押し込み可動させることができる可動部位と、
前記ロープ機構部を形成する、前記可動部位と係って通された前記ロープをロックする係り部位と、
前記可動部位に設けられた前記ロープを通すための可動側ロープ通し部と、
前記係り部位に設けられた前記ロープを通すための係り側ロープ通し部と、
前記可動側ロープ通し部と前記係り側ロープ通し部に通されたあるいは通される前記ロープの一対のロープ部位を近寄らないように離し案内するロープ離し案内部とからなることを特徴とするロープロック機構。
ロープ離し案内部を設ける部位や位置は、可動部位と係り部位の部位や位置によって異なる。例えば、可動部位と係り部位の下方に設ける形態、可動部位と係り部位の上方に設ける形態、可動部位と係り部位の間に設ける形態などがある。
ロープ離し案内部を設ける部位は、一つである形態、複数である形態、可動部位と係り部位の両方に設けられた形態、可動部位と係り部位のいずれか一方の設けられた形態など多様な形態を採用することができる。
また、図で見てロープロック機構部の上方に設ける形態、ロープロック機構部の下方に設ける形態、ロープロック機構部の上下両方に設ける形態がある。
また、ロープロック機構部のロープが通る部位を溝形態として、ロープを通した後で、蓋部材を接着、嵌込などにより取付ける形態とするのもよい。
蓋部材はロープロック機構部をはじめ適宜な部位に、ヒンジー部で連結され且つ嵌込突起を有する形態を一体成型により設け、嵌込孔を形成したロープ離し案内部にロープ通し後に被せ嵌込み固定するようにする形態が、部品点数を少なくできてよい。
一対のロープ部位を近寄らないように離し案内するロープ離し案内部を設けることによって、一対のロープ部位を通すロープ通し部を一つのロープ通し部とすることが可能となり、よって、ロープ離し案内部と、一つである可動側ロープ通し部と、一つである係り側ロープ通し部とには、既に首掛けループを形成状態でロープを巻きつけたリールを筐体にセットし、首掛けループを可動側ロープ通し部を通し、更に係り側ロープ通し部を通し、更にロープ離し案内部をロープの一対のロープ部位を左右に分け超えさせてロック機構部の外に引き出しセットすることができる。
すなわち、ロープにより首掛けループを形成するために一対のロープ部位を引き出す必要があり、且つ、携帯品が回って一対のロープ部位が捩れることが生じ難いようにするために、一対のロープ部位を離してロック機構部から引き出す必要があり、このために、一対のロープ部位を引き出すそれぞれのロープ通し部を分け離して設ける必要があるが、ロープ通し部が二つであるとリールにループが形成された状態で巻かれたロープをロープ通し部に通すことができないものであるが、本発明はそれを解決したものである。
【産業上の利用可能性】
【００３２】
本発明は付勢巻取りリール、ネックストラップ、カードケース、携帯電話装置、音楽プレイヤー装置、携帯ケースを製造する産業で利用される。
【図面の簡単な説明】
【００３３】
【図１】本発明を実施するための最良の第１の実施の形態の平面図、正面図および側面図。
【図２】本発明を実施するための最良の第１の実施の形態の表筐体形成体を除いた状態の正面図。
【図３】本発明を実施するための最良の第１の実施の形態のロックＯＮ状態とロックＯＦＦ状態の側面図。
【図４】本発明を実施するための最良の第１の実施の形態の側面図中央縦断面図。
【図５】本発明を実施するための最良の第２の実施の形態の側面図。
【図６】本発明を実施するための最良の第３の実施の形態のロープを省略した正面図、平面図および側面図。
【図７】図６のＡ−Ａ線切断断面図、Ｂ−Ｂ線切断断面図、Ｃ−Ｃ線切断断面図およびＤ−Ｄ線切断断面図。
【図８】本発明を実施するための最良の第４の実施の形態の正面図および側面図。
【図９】本発明を実施するための最良の第５の実施の形態の正面図、側面図およびロックＯＦＦ状態で筐体を下げ移動させた状態の側面図。
【図１０】本発明を実施するための最良の第６の実施の形態の正面図、側面図およびロックＯＦＦ状態で筐体を下げ移動させた状態の側面図。
【図１１】本発明を実施するための最良の第７の実施の形態の平面図、正面図および側面図。
【図１２】本発明を実施するための最良の第７の実施の形態の背面図およびロックＯＦＦ状態とした側面図の中央縦断面図。
【図１３】本発明を実施するための最良の第８の実施の形態の組み立て前の部分正面図、その平面図、その側面図および組み立て状態の側面図。
【図１４】本発明を実施するための最良の第９の実施の形態の内部構造を示す正面図および側面図。
【図１５】本発明を実施するための最良の第１０の実施の形態の正面図、ロープを省略した状態の平面図および側面図。
【図１６】本発明を実施するための最良の第１１の実施の形態の正面図、ロープを省略した状態の平面図および側面図。
【図１７】本発明を実施するための最良の第１２の実施の形態の側面図。
【図１８】本発明を実施するための最良の第１３の実施の形態の平面図、正面図および側面図。
【図１９】本発明を実施するための最良の第１３の実施の形態の部分断面側面図。
【図２０】本発明を実施するための最良の第１４の実施の形態の部分断面側面図。
【図２１】本発明を実施するための最良の第１５の実施の形態の正面図および側面図。
【図２２】本発明を実施するための最良の第１５の実施の形態のロープを省略したロックＯＮ状態を示す断面図およびロックＯＦＦ状態を示す断面図。
【図２３】本発明を実施するための最良の第１６の実施の形態のロープを省略したロックＯＮ状態を示す断面図。
【図２４】本発明を実施するための最良の第１７の実施の形態のロックＯＮ状態とロックＯＦＦ状態の側面図。
【図２５】本発明を実施するための最良の第１７の実施の形態の背面図。
【図２６】本発明を実施するための最良の第１７の実施の形態の正面図。
【図２７】本発明を実施するための最良の第１８の実施の形態の側面図。
【図２８】本発明を実施するための最良の第１８の実施の形態の正面図。
【図２９】本発明を実施するための最良の第１９の実施の形態の側面図および側面図中央縦切断断面図。
【符号の説明】
【００３４】
１：ロック機構付き付勢巻取りリール装置、
２：首掛けループ、
３：ロープ、
４：リール本体、
５：表筺体形成体、
６：裏筐体形成体、
７：リール保持収納部、
８：筐体、
９、９ａ：ロックＯＮ・ＯＦＦ部、
１０：可動部位、
１１：係り部位、
１２：ロック機構部、
１３、１３ａ、１３ｂ：可動側ロープ通し部、
１４、１４ａ、１４ｂ：係り側ロープ通し部、
１５：発条、
１６ａ、１６ｂ：鍔、
１７ａ、１７ｂ：ロープ案内部、
１８：アーム部、
１９：ヒンジー、
２０：透明板、
２１：カード出し入れ口、
２２：カードセット部、
２３：カード抑え片、
２４：開口部、
２５：ループ面ファスナ、
２６：顎付き掛部、
２７：顎掛部、
２８ａ、２８ｂ：バネ支持部、
２９：付勢手段、
３０：ロック機構付き付勢巻取りリール装置、
３１：顎掛部形成孔、
３２ａ、３２ｂ：可動側ロープ通し部、
３３ａ、３３ｂ：係り側ロープ通し部、
３４：表筐体形成体、
３５：裏筐体形成体、
３６：筐体、
３７：掛け部、
３８：ロック機構付き付勢巻取りリール装置、
３９：ロック機構部、
４０：可動部位、
４１ａ、４１ｂ：可動側ロープ通し部、
４２：係り部位、
４３、４３ａ、４３ｂ：係り側ロープ通し部、
４４：ロープ引き出し口、
４５：ロープ案内部、
４８：クリップ、
４９：嵌め込み部、
５０：ロック機構付き付勢巻取りリール装置、
５１：ロック機構部、
５２：横孔、
５３：アダプター、
５４：抜け止め片、
５５：フック、
５６：ロック機構付き付勢巻取りリール装置、
５７：首掛けループ、
５８ａ、５８ｂ：保持突起、
６０：横孔、
６１：ロープ通し部、
６２：ロック機構付き付勢巻取りリール装置、
６３：カードケース、
６６ａ、６６ｂ：可動側ロープ通し部、
６７ａ、６７ｂ：係り側ロープ通し部、
６８：ロック機構付き付勢巻取りリール装置、
６９：ロック機構部、
７２：ロック機構付き付勢巻取りリール装置、
７３：嵌め込み孔、
７４：ヒンジー部、
７５：取付け駒、
７６：嵌め殺し突起、
７７：嵌め込み孔、
７８：ヒンジー、
７９：、取付け駒、
８０：嵌め殺し突起、
８１：ロック機構部、
８２：駒本体、
８３：駒本体、
８６：歯車、
８７：付勢リール、
８８：歯車、
８９：フリーリール、
９０：リール本体、
９１：ロック機構付き付勢巻取りリール装置、
９２：表筐体形成体、
９３：裏筐体形成体、
９４：筐体、
９５：フック面ファスナ、
９６：ループ面ファスナ、
９７：安全パーツ、
９８：回転コロ、
９９：テープ、
１００：バネ支持部、
１０１：バネ支持部、
１０２：ブロック片、
１０３：携帯品保持プレート、
１０４：ロック機構付き付勢巻取りリール装置、
１０７ａ、１０７ｂ：可動側ロープ通し部、
１０８：可動部位、
１０９ａ、１０９ｂ：係り側ロープ通し部、
１１０：係り部位、
１１１：嵌まり片、
１１２：ロック機構付き付勢巻取りリール装置、
１１５：バネ支持部、
１１６：バネ支持部、
１１７：板バネ、
１１８：ロック機構付き付勢巻取りリール装置、
１２１：ロック機構形成部位、
１２２：開口部、
１２３：ロックＯＮ・ＯＦＦ部、
１２４、１２４ａ、１２４ｂ：可動側ロープ通し部、
１２５：可動部位、
１２６：ロック機構形成部位、
１２７：係り部位、
１２８、１２８ａ、１２８ｂ：係り側ロープ通し部、
１２９：ロック機構付き付勢巻取りリール装置、
１３０：ロック機構部、
１３２：ロック機構付き付勢巻取りリール装置、
１３４：押しボタン、
１３５：ロック機構付き付勢巻取りリール装置、
１３６：ロック機構部、
１３７：ロック機構形成部位、
１３８：ロック機構形成部位、
１３９：開口部、
１４０：ロックＯＮ・ＯＦＦ部、
１４１：可動部位、
１４２ａ、１４２ｂ：ロープ引き出し口、
１４７：ロック付き付勢巻取りリール装置、
１４９：ロック機構部、
１５０：ロック機構形成部位、
１５１：ロック機構形成部位、
１５２：開口部、
１５３：肉厚部位、
１５４：ロック部材取付け部、
１５５：補強リブ、
１５６：ロックＯＮ・ＯＦＦ部、
１５７：可動部位、
１５８：係り部位、
１６０：ロープ挟みロック部位、
１６１：ロープ挟みロック部位、
１６３：ロック機構付き付勢巻取りリール装置、
１６４：ロック部位形成開口、
１６６、１６６ａ、１６６ｂ：ロープ離し案内部、
１６７：マスクカード収納部、
１６８：カード裏収納部、
１６９：マスクカード、
１７０：ロック機構付き付勢巻取りリール装置、
１７３：ロック機構付き付勢巻取りリール装置。
【図１】
2009172259.tif 000003
【図２】
2009172259.tif 000004
【図３】
2009172259.tif 000005
【図４】
2009172259.tif 000006
【図５】
2009172259.tif 000007
【図６】
2009172259.tif 000008
【図７】
2009172259.tif 000009
【図８】
2009172259.tif 000010
【図９】
2009172259.tif 000011
【図１０】
2009172259.tif 000012
【図１１】
2009172259.tif 000013
【図１２】
2009172259.tif 000014
【図１３】
2009172259.tif 000015
【図１４】
2009172259.tif 000016
【図１５】
2009172259.tif 000017
【図１６】
2009172259.tif 000018
【図１７】
2009172259.tif 000019
【図１８】
2009172259.tif 000020
【図１９】
2009172259.tif 000021
【図２０】
2009172259.tif 000022
【図２１】
2009172259.tif 000023
【図２２】
2009172259.tif 000024
【図２３】
2009172259.tif 000025
【図２４】
2009172259.tif 000026
【図２５】
2009172259.tif 000027
【図２６】
2009172259.tif 000028
【図２７】
2009172259.tif 000029
【図２８】
2009172259.tif 000030
【図２９】
2009172259.tif 000031